(57)【特許請求の範囲】
【請求項１】
現像剤で現像された現像剤像を像保持体に形成する作像装置と、
前記作像装置の像保持体に形成された現像剤像を外表面に転写させて保持した後に被記録材に転写させる二次転写部まで搬送するよう回転する、ベルト基材にポリテトラフルオロエチレンからなる樹脂粒子を分散させた中間転写ベルトと、
前記中間転写ベルトの前記二次転写部を通過した後の外周面部分に少なくとも板状部材を接触させて清掃する清掃装置と、
前記中間転写ベルトの外周面に接触する状態で配置され、当該中間転写ベルトの少なくとも未使用時にその外周面に存在する前記樹脂粒子を当該中間転写ベルトと速度差が生じる状態にすることにより取り除いて保持する回収部材と
を有し、
前記回収部材が、前記二次転写部において前記中間転写ベルトの外周面に接触して回転するとともに当該中間転写ベルトと速度差が生じる状態にすることにより前記外周面に存在する樹脂粒子を取り除く二次転写回転体と、前記二次転写回転体の外周面に接触して当該外周面に付着する前記樹脂粒子を取り除いて保持する保持部材とで構成されていることを特徴とする画像形成装置。
【請求項２】
現像剤で現像された現像剤像を像保持体に形成する作像装置と、
前記作像装置の像保持体に形成された現像剤像を外表面に転写させて保持した後に被記録材に転写させる二次転写部まで搬送するよう回転する、ベルト基材にポリテトラフルオロエチレンからなる樹脂粒子を分散させた中間転写ベルトと、
前記中間転写ベルトの前記二次転写部を通過した後の外周面部分に少なくとも板状部材を接触させて清掃する清掃装置と、
前記中間転写ベルトの外周面に接触する状態で配置され、当該中間転写ベルトの少なくとも未使用時にその外周面に存在する前記樹脂粒子を当該中間転写ベルトと速度差が生じる状態にすることにより取り除いて保持する回収部材と、
前記回収部材に極性の異なるバイアス電圧を選択して供給する給電手段と
を有することを特徴とする画像形成装置。
【請求項３】
前記回収部材が、前記二次転写部において前記中間転写ベルトの外周面に接触して回転するとともに当該中間転写ベルトと速度差が生じる状態にすることにより前記外周面に存在する樹脂粒子を取り除く二次転写回転体と、前記二次転写回転体の外周面に接触して当該外周面に付着する前記樹脂粒子を取り除いて保持する保持部材とで構成されている請求項２に記載の画像形成装置。
【請求項４】
前記二次転写回転体が、複数のロールに掛け回されて回転する二次転写ベルトで構成されている請求項１又は３に記載の画像形成装置。
【請求項５】
前記回収部材に極性の異なるバイアス電圧を選択して供給する給電手段を有している請求項１に記載の画像形成装置。
【請求項６】
前記中間転写ベルトを最初に回転させるときの初期時期に、前記給電手段から前記回収部材に前記樹脂粒子の帯電極性と反対の極性のバイアス電圧を供給する請求項２又は５に記載の画像形成装置。
【請求項７】
前記中間転写ベルトを最初に回転させるときの初期時期が経過した後に、前記給電手段から前記回収部材へのバイアス電圧の給電を停止する請求項２、５又は６に記載の画像形成装置。
【請求項８】
前記中間転写ベルトの回転の累積量が設定値に達したときに、前記給電手段から前記回収部材への前記樹脂粒子の帯電極性と同じ極性のバイアス電圧を供給する請求項２、５、６又は７に記載の画像形成装置。
【発明の詳細な説明】
【技術分野】
【０００１】
この発明は画像形成装置に関するものである。
【背景技術】
【０００２】
現像剤で構成される画像を形成するプリンタ、複写機、ファクシミリ等の画像形成装置においては、現像剤で現像された現像剤像を感光体等の像保持体に形成した後、その現像剤像を回転する中間転写ベルトの外周面に一時的に転写してから記録紙等の被記録材に二次転写する中間転写方式を採用するものがある。この中間転写方式を採用する画像形成装置には、一般に、中間転写ベルトの二次転写が終了した後の外周面部分にブレード等の板状部材を接触させ、その二次転写後の外周面に在留する現像剤等の不要物を除去して清掃する清掃装置が装備されている。
【０００３】
このような中間転写方式を採用する画像形成装置としては、例えば、以下の構成を採用するものが知られている。
【０００４】
中間転写ベルトである無端ベルトのトナー像を被転写材に転写する位置よりも下流であって清掃装置のブレードが当接する位置よりも上流である外周面で接触して、その外周面に付着した紙粉を除去する機能を有する紙粉除去部材を設けた画像形成装置がある（特許文献１）。特許文献１には、紙粉除去部材がブラシローラであることや、紙粉除去部材にバイアスを印加することなども開示されている。
【０００５】
また、像形成体にトナー像を形成する像形成手段と、そのトナー像を二次転写手段まで回転して搬送する中間転写ベルトと、中間転写ベルトの二次転写手段の下流においてトナーを除去する清掃手段とを有する画像形成装置において、像形成体に潤滑剤を塗布する塗布手段と、中間転写ベルト上の潤滑剤を除去する潤滑剤除去手段を設けたものがある（特許文献２）。特許文献２には、潤滑剤除去手段が中間転写ベルトに接触するウェブであることなども開示されている。
【０００６】
さらに、トナー像が形成される像保持体と、中間転写ベルトとを備え、中間転写ベルトが像保持体の表面に接触する接触部において、像保持体の移動速度と中間転写ベルトの移動速度との間に速度差を設け、これにより像保持体の表面への汚染物質の固着を抑制するようにした画像形成装置がある（特許文献３）。特許文献３には、中間転写ベルトとして、例えばベルト基材の表面にポリテトラフルオロエチレン等の微粉末を含む導電材塗料を塗布してなる導電性保護層を形成したものが使用されることなども開示されている。
【先行技術文献】
【特許文献】
【０００７】
【特許文献１】特開２００６−７８８５３号公報
【特許文献２】特開２００５−３５２００８号公報
【特許文献３】特開２００９−１８６８１２号公報
【発明の概要】
【発明が解決しようとする課題】
【０００８】
この発明は、中間転写ベルトとしてベルト基材にポリテトラフルオロエチレン（ＰＴＦＥ）からなる樹脂粒子を分散させたものを使用した場合、その中間転写ベルトの少なくとも未使用時にその外周面に露出又は遊離して存在する余分な前記ＰＴＦＥの樹脂粒子がそのベルトの清掃装置における板状部材に達して留まることにより特に使用初期において発生する清掃不良を簡易に低減させることができる画像形成装置を提供するものである。
【課題を解決するための手段】
【０００９】
この発明の画像形成装置（Ａ１）は、
現像剤で現像された現像剤像を像保持体に形成する作像装置と、
前記作像装置の像保持体に形成された現像剤像を外表面に転写させて保持した後に被記録材に転写させる二次転写部まで搬送するよう回転する、ベルト基材にポリテトラフルオロエチレンからなる樹脂粒子を分散させた中間転写ベルトと、
前記中間転写ベルトの前記二次転写部を通過した後の外周面部分に少なくとも板状部材を接触させて清掃する清掃装置と、
前記中間転写ベルトの外周面に接触する状態で配置され、当該中間転写ベルトの少なくとも未使用時にその外周面に存在する前記樹脂粒子を当該中間転写ベルトと速度差が生じる状態にすることにより取り除いて保持する回収部材と
を有することを特徴とするものである。
【００１０】
この発明の画像形成装置（Ａ２）は、上記発明Ａ１の画像形成装置において、前記回収部材が、前記二次転写部において前記中間転写ベルトの外周面に接触して回転するとともに当該中間転写ベルトと速度差が生じる状態にすることにより前記外周面に存在する樹脂粒子を取り除く二次転写回転体と、前記二次転写回転体の外周面に接触して当該外周面に付着する前記樹脂粒子を取り除いて保持する保持部材とで構成されているものである。
【００１１】
この発明の画像形成装置（Ａ３）は、上記発明Ａ２の画像形成装置において、前記二次転写回転体が、複数のロールに掛け回されて回転する二次転写ベルトで構成されているものである。
【００１２】
この発明の画像形成装置（Ａ４）は、上記発明Ａ１からＡ３のいずれかの画像形成装置において、前記回収部材に極性の異なるバイアス電圧を選択して供給する給電手段を有しているものである。
【００１３】
この発明の画像形成装置（Ａ５）は、上記発明Ａ４の画像形成装置において、前記中間転写ベルトを最初に回転させるときの初期時期に、前記給電手段から前記回収部材に前記樹脂粒子の帯電極性と反対の極性のバイアス電圧を供給するものである。
【００１４】
この発明の画像形成装置（Ａ６）は、上記発明Ａ４又はＡ５の画像形成装置において、前記中間転写ベルトを最初に回転させるときの初期時期が経過した後に、前記給電手段から前記回収部材へのバイアス電圧の給電を停止するものである。
【００１５】
この発明の画像形成装置（Ａ７）は、上記発明Ａ４からＡ６のいずれかの画像形成装置において、前記中間転写ベルトの回転の累積量が設定値に達したときに、前記給電手段から前記回収部材に前記樹脂粒子の帯電極性と同じ極性のバイアス電圧を供給するものである。
【発明の効果】
【００１６】
上記発明Ａ１の画像形成装置によれば、中間転写ベルトの少なくとも未使用時にその外周面に存在するＰＴＦＥからなる樹脂粒子が中間転写ベルトの清掃装置における板状部材に達して留まることにより特に使用初期において発生する清掃不良を簡易に低減させることができる。
【００１７】
上記発明Ａ２の画像形成装置では、その発明の構成を有しない場合に比べて、中間転写ベルトの外周面に存在する前記樹脂粒子が清掃装置の手前側に配置される二次転写部で除去されて保持され、その清掃装置の板状部材に当該樹脂粒子が達して留まることにより発生する清掃不良を効率よく簡易に低減させることができる。
【００１８】
上記発明Ａ３の画像形成装置では、その発明の構成を有しない場合に比べて、中間転写ベルトの外周面に存在する前記樹脂粒子が二次転写ベルトで除去された後に保持部材で保持され、その清掃装置の板状部材に当該樹脂粒子が達して留まることにより発生する清掃不良をより簡易に低減させることができる。
【００１９】
上記発明Ａ４の画像形成装置では、その発明の構成を有しない場合に比べて、給電手段から適切なバイアス電圧を供給することで、中間転写ベルトの外周面に存在する前記樹脂粒子が回収部材によってより効率よく除去されて保持され、清掃装置の板状部材に当該樹脂粒子が留まることにより発生する清掃不良を確実かつ簡易に低減させることができる。
【００２０】
上記発明Ａ５の画像形成装置では、その発明の構成を有しない場合に比べて、中間転写ベルトの外周面に存在する前記樹脂粒子が回収部材によってより適切な時期に確実に除去されて保持され清掃装置の板状部材に当該樹脂粒子が留まることにより特に使用初期において発生する清掃不良をより的確かつ簡易に低減させることができる。
【００２１】
上記発明Ａ６の画像形成装置では、その発明の構成を有しない場合に比べて、回収部材により中間転写ベルトの外周面に存在する前記樹脂粒子が適切に除去されて保持される一方で、その回収部材に二次転写残りの現像剤等が付着して汚染されることが回避される。
【００２２】
上記発明Ａ７の画像形成装置では、その発明の構成を有しない場合に比べて、回収部材に保持された前記樹脂粒子が中間転写ベルトの外周面に戻され、二次転写部における経時による二次転写率の低下が防止される。
【図面の簡単な説明】
【００２３】
【図１】第１の実施の形態等に係る画像形成装置の概要を示す説明図である。
【図２】図１の画像形成装置の要部（回収装置、ベルト清掃装置など）を拡大して示す説明図である。
【図３】図１の画像形成装置に使用する中間転写ベルトの構成を模式的に示す断面説明図である。
【図４】回収装置における回収動作の流れを示すフローチャートである。
【図５】回収装置の回収動作の状態などを模式的に示す説明図である。
【図６】回収装置による回収動作後におけるベルト清掃装置の状態などを模式的に示す説明図である。
【図７】回収装置における吐き出し動作の流れを示すフローチャートである。
【図８】回収装置の吐き出し動作の状態とベルト清掃装置の状態を模式的に示す説明図である。
【図９】（ａ）は少なくとも未使用時に中間転写ベルトの外周面に存在するＰＴＦＥからなる樹脂粒子の状態を模式的に示す説明図、（ｂ）は（ａ）におけるＰＴＦＥからなる樹脂粒がベルト清掃装置の清掃板にかき集められて留まっている状態などを模式的に示す説明図である。
【発明を実施するための形態】
【００２４】
以下、この発明を実施するための形態（以下「実施の形態」という）について図面を参照しながら説明する。
【００２５】
［第１の実施の形態］
図１及び図２は第１の実施の形態に係る画像形成装置１を示すものであり、図１はその画像形成装置１の概要を示し、図２はその画像形成装置１における要部（回収装置など）を示している。
【００２６】
この画像形成装置１は、例えばカラープリンタとして構成されたものである。画像形成装置１は、筐体１０の内部空間に、公知の電子写真方式、静電記録方式等の画像記録方式を利用して現像剤を構成するトナー（着色等がされた微粉体）で現像されるトナー像を形成する複数の作像装置２０と、各作像装置２０で形成されたトナー像をそれぞれ保持して最終的に被記録材の一例としての記録用紙９に二次転写する中間転写装置３０と、中間転写装置３０の二次転写部に供給すべき所要の記録用紙９を収容して搬送する給紙装置４０と、中間転写装置３０でトナー像が転写された記録用紙９を通過させてトナー像の定着を行う定着装置４５等が設置されている。筐体１０は、支持部材、外装カバー等で支持構造部や外装部が形成されている。図中の一点鎖線は、筐体１０内において記録用紙９が主に搬送される搬送経路を示す。
【００２７】
作像装置２０は、イエロー（Ｙ）、マゼンタ（Ｍ）、シアン（Ｃ）及びブラック（Ｋ）の４色のトナー像をそれぞれ専用に形成する４つの作像装置２０Ｙ，２０Ｍ，２０Ｃ，２０Ｋで構成されている。この４つの作像装置２０（Ｙ，Ｍ，Ｃ，Ｋ）は、筐体１０の内部空間において直列に並べた状態となるよう配置されている。また、各作像装置２０（Ｙ，Ｍ，Ｃ，Ｋ）は、以下に示すようにほぼ共通した構成のものである。
【００２８】
各作像装置２０（Ｙ，Ｍ，Ｃ，Ｋ）は、図１や図２に示すように、回転する感光ドラム２１を備えており、この感光ドラム２１の周囲に、次のような各装置が主に配置されている。主な装置とは、感光ドラム２１の像形成が可能な像保持面（外周面）を所要の電位に帯電させる帯電装置２２と、感光ドラム２１の帯電された外周面に画像の情報（信号）に基づく光を照射して電位差のある（各色用の）静電潜像を形成する露光装置２３と、その静電潜像を対応する色（Ｙ，Ｍ，Ｃ，Ｋ）の現像剤のトナーで現像することにより可視像であるトナー像とする現像装置２４（Ｙ，Ｍ，Ｃ，Ｋ）と、そのトナー像を中間転写装置３０（の中間転写ベルト）に転写する一次転写装置２５と、転写後における感光ドラム２１の像保持面に残留して付着するトナー等の付着物を取り除いて清掃するドラム清掃装置２６、感光ドラム２１の清掃後における像保持面を除電する除電器２７等である。
【００２９】
感光ドラム２１は、接地処理される円筒又は円柱状の基材の周面に感光材料からなる光導電性層（感光層）を有する像保持面を形成したものであり、図示しない回転駆動装置から動力を受けて矢印で示す方向に回転する。帯電装置２２は、感光ドラム２１の像保持面に接触した状態で配置されるとともに帯電バイアスが供給される帯電ロール等の接触部材を備えた接触型の帯電装置や、感光ドラム２１の像保持面に所要の間隔をあけた状態で配置される放電ワイヤに帯電電流を印加してコロナ放電により帯電させる非接触型の帯電装置である。実施の形態１では、帯電装置２２として、例えばブラック色の作像装置２０Ｋで非接触型の帯電装置を使用し、残りの色の作像装置２０（Ｙ，Ｍ，Ｃ）で接触型の帯電装置を使用している。帯電バイアスとしては、現像装置２４が反転現像を行うものである場合、その現像装置から供給されるトナーの帯電極性と同じ極性の電圧又は電流が供給される。
【００３０】
露光装置２３は、画像形成装置１に入力される画像の情報に応じて構成される光（矢付き点線）を、帯電された後の感光ドラム２１の像保持面に対して照射して静電潜像を形成するものである。露光装置２３としては、半導体レーザとポリゴンミラー等の光学部品を用いて構成される走査型のものを使用しているが、その他にも、例えば、発光ダイオードと光学部品等を用いて構成される非走査型の露光装置を使用してもよい。この露光装置２３には、画像形成装置１に入力されるプリント対象となる画像の情報について画像処理装置で必要な画像処理が施され、その処理後に得られる各色成分の画像信号が送信されるようになっている。画像形成装置１には、画像読取装置や、パーソナルコンピュータ等の情報端末や、記憶媒体の読み書き装置等の図示しない画像情報機器が接続通信部を介して接続可能となっており、その画像情報機器から画像の情報が入力される。
【００３１】
現像装置２４（Ｙ，Ｍ，Ｃ，Ｋ）は、例えば、非磁性トナーと磁性キャリアを含む二成分現像剤を使用するものである。各現像装置２４（Ｙ，Ｍ，Ｃ，Ｋ）では、その容器筐体に収容される二成分現像剤が攪拌された後に、その現像剤の一部が回転する現像ロール２４ａに保持されて感光ドラム２１と近接して対向する現像領域まで搬送される。各現像装置２４（Ｙ，Ｍ，Ｃ，Ｋ）においては、現像ロール２４ａに現像バイアスが図示しない現像用電源部から供給される。また、各現像装置２４は、図示しない現像剤の補給システムにより各現像剤が補給される。ちなみに、上記二成分現像剤は、そのトナーが容器筐体内で攪拌されながら搬送されることでキャリアと擦れ合い、これにより所要の極性（本実施の形態ではマイナス極性）に摩擦帯電される。
【００３２】
一次転写装置２５は、感光ドラム２１の像保持面に接触して回転するとともに一次転写バイアスが供給される一次転写ロールを備えた接触型の転写装置である。一次転写バイアスとしては、トナーの帯電極性と逆の極性を示す直流の電圧等が図示しない転写用電源部から印加される。この一次転写装置２５は、中間転写装置３０を構成するものとして扱ってもよい。ドラム清掃装置２６は、感光ドラム２１の外周面に接触させて清掃するゴム製の弾性板等を備えている。
【００３３】
中間転写装置３０は、図１に示すように、各作像装置２０（Ｙ，Ｍ，Ｃ，Ｋ）の下方の位置に存在するように配置される。この中間転写装置３０は、感光ドラム２１と一次転写装置２５（一次転写ロール）の間となる一次転写位置を通過しながら矢印で示す方向に回転する中間転写ベルト３１と、中間転写ベルト３１をその内面から所望の状態に保持して回転自在に支持する複数の支持ロール３２ａ〜３２ｆと、支持ロール３２ｅに支持されている中間転写ベルト３１の外周面（像保持面）に所定の圧力で接触して回転する二次転写装置３５と、二次転写装置３５を通過した後に中間転写ベルト３１の外周面に残留して付着するトナー、紙粉等の付着物を取り除いて清掃するベルト清掃装置３６とで主に構成されている。
【００３４】
中間転写ベルト３１としては、図３に示すように、例えばポリイミド樹脂、ポリアミド樹脂等の合成樹脂にカーボン等の抵抗調整剤を分散させてなるベルト基材３１０に、トナー像に対する離型性を付与する（換言すればトナー像との付着力を低下させる）目的からポリテトラフルオロエチレン（ＰＴＦＥ）からなる樹脂粒子４を分散させた無端状のベルトが使用される。この中間転写ベルト３１においては、ＰＴＦＥからなる樹脂粒子４がベルト基材３１０の少なくとも表層部３１２に存在するように分散されている（図３中の符合４ａで例示するような状態で存在する樹脂粒子）。ＰＴＦＥからなる樹脂粒子４は、その平均粒径が２００〜２５０ｎｍ程度のものである。ちなみに、この樹脂粒子４の平均粒径は、本実施の形態で使用する現像剤のトナー粒子の平均粒径（例えば６μｍ）よりも小さい関係にある。このような中間転写ベルト３１は、例えば、ベルト基材３１０の外表面にＰＴＦＥからなる樹脂粒子４を分散させた表面層を形成することで製作される。表面層は、例えば、層形成材料としてＰＴＦＥからなる樹脂粒子４、カーボンブラック等を分散させたポリアミド酸溶液を用意し、この層形成材料をベルト基材３１０の外表面に塗布してその塗膜を乾燥させることで形成される。ここで、上記ポリアミド酸溶液からなる層形成材料としては、例えば、カーボンブラックを分散させたポリアミド酸溶液とフッ素樹脂粒子を分散させたポリアミド酸溶液を混合したものを使用できる。また、支持ロール３２ａは駆動ロールとして、支持ロール３２ｃは張力付与ロールとして構成されている。
【００３５】
二次転写装置３５は、図１や図２に示すように、無端状の二次転写ベルト３５１を、複数の支持ロール３５２，３５３に掛け回して矢印で示す方向に回転させるよう支持したベルト方式のものである。支持ロール３５２は、中間転写ベルト３１及び二次転写ベルト３５１を挟んで支持ロール３２ｅと向き合う位置に配置される。支持ロール３５３は、二次転写装置３５を通過した後の中間転写ベルト３１部分と離れた位置に配置される。支持ロール３５２，３５３のうち支持ロール３５２は、駆動ロールとして構成されており、回転駆動装置３７から動力を受けて所要の回転速度で回転駆動して二次転写ベルト３５１を所要の回転速度で回転させるようになっている。中間転写ベルト３１の支持ロール３２ｅ又は二次転写装置３５の支持ロール３５２には、二次転写バイアスが図示しない転写用電源部から供給される。二次転写バイアスとしては、トナーの帯電極性と同極性（又は逆極性）を示す直流の電圧等が供給される。
【００３６】
ベルト清掃装置３６は、図２に示すように、一部が開口する容器状の本体３６０と、二次転写位置を通過した後の中間転写ベルト３１の外周面に接触して残留トナー等の付着物を取り除く清掃板（クリーニングブレード）３６１と、清掃板３６１よりもベルトの回転方向上流側で中間転写ベルト３１の外周面に接触して清掃する回転ブラシ３６２と、清掃板３６１で取り除いたトナー等の付着物を回収して図示しない回収システムに送り出すように駆動するスクリューオーガー等の送出部材３６３等で構成されている。清掃板３６１としては、ウレタンゴム等からなる板状部材が使用される。
【００３７】
給紙装置４０は、中間転写装置３０の下方側の位置に存在するように配置される。給紙装置４０は、筐体１０の正面（操作者が使用時に向き合う側面）側に引き出すことができるように取り付けられ、所望のサイズ、種類等の記録用紙９を積載した状態で収容する単数（又は複数）の用紙収容体４１と、用紙収容体４１から記録用紙９を１枚ずつ送り出す送出装置４２とで主に構成されている。給紙装置４０から送りされる記録用紙９は、複数の用紙搬送ロール対４３ａ，４３ｂ，４３ｃ，…や搬送ガイド材で構成される搬送路を経由して中間転写装置３０の二次転写位置（中間転写ベルト３１と二次転写装置３５の二次転写ベルト３５１との間）に搬送される。また、二次転写装置３５と定着装置４５の間には、二次転写後の記録用紙９を定着装置４５まで搬送する搬送装置４４が設置されている。この搬送装置４４としては、例えば吸気式のベルト搬送装置が使用される。
【００３８】
定着装置４５は、筐体４６の内部に、矢印で示す方向に回転するとともに表面温度が所定の温度に保持されるように加熱手段によって加熱される加熱回転体４７と、この加熱回転体４７の軸方向にほぼ沿う状態で所定の圧力で接触して従動回転する加圧用回転体４８とを設置したものである。この定着装置４５でトナー像の定着が終了して画像が形成された記録用紙９は、複数の搬送ロール対や搬送ガイド材で構成される排出搬送路を通して筐体１０等に設置される排出部に搬送されて収容される。
【００３９】
この画像形成装置１による基本的な画像形成動作（プリント）は、以下に説明するように行われる。ここでは、前記４つの作像装置２０（Ｙ，Ｍ，Ｃ，Ｋ）のすべてを使用して形成する４色（Ｙ，Ｍ，Ｃ，Ｋ）のトナー像を組み合わせて構成されるフルカラー画像を形成する画像形成動作のパターン（フルカラーモード）を説明する。
【００４０】
前記した画像情報機器などから画像形成動作（プリント）の要求の指示があると、４つの作像装置２０（Ｙ，Ｍ，Ｃ，Ｋ）において、まず各感光ドラム２１が矢印で示す方向に回転し、各帯電装置２２がその各感光ドラム２１の像保持面を所要の極性（本実施の形態ではマイナス極性）及び電位にそれぞれ帯電させる。続いて、露光装置２３が、帯電後の感光ドラム２１の表面に対し、画像処理装置２７から送信された各色成分（Ｙ，Ｍ，Ｃ，Ｋ）に分解された画像データに基づいて発光される光を照射して露光を行い、所要の電位差で構成される各色成分の静電潜像をそれぞれ形成する。
【００４１】
次いで、各現像装置２４（Ｙ，Ｍ，Ｃ，Ｋ）が、感光ドラム２１に形成された各色成分の静電潜像に対し、所要の極性（マイナス極性）に帯電された対応する色（Ｙ，Ｍ，Ｃ，Ｋ）のトナーを現像ロール２４ａから供給して静電的に付着させる。このように現像が行われることで各感光ドラム２１上の各色成分の静電潜像は、その対応する色のトナーでそれぞれ現像されて４色（Ｙ，Ｍ，Ｃ，Ｋ）のトナー像として顕像化される。続いて、各作像装置２０（Ｙ，Ｍ，Ｃ，Ｋ）の感光ドラム２１上に形成された各色のトナー像が、一次転写装置２５により、中間転写装置３０の中間転写ベルト３１に対して順番に重ね合わるようにして一次転写される。各作像装置２０における一次転写後の感光ドラム２１は、その外周面に残留するトナー等の付着物がドラム清掃装置２６によって除去されて清掃され、しかる後、その清掃後の外周面が除電器２７により除電される。
【００４２】
また、中間転写装置３０は、中間転写ベルト３１に一次転写されたトナー像を保持して二次転写装置３５（二次転写ベルト３５１）と接触して対向する二次転写位置まで搬送した後、その二次転写位置において中間転写ベルト３１上のトナー像を給紙装置４０から搬送されて送り込まれる用紙９に一括して二次転写させる。本実施の形態では、前記したように中間転写ベルト３１としてＰＴＦＥの樹脂粒子が分散されたベルトを使用しているため、二次転写においてトナー像が中間転写ベルト３１から良好に剥離されて用紙９に移行し、比較的高い二次転写率が得られる。また、二次転写後の中間転写ベルト３１は、その外周面に残留したトナー等の付着物がベルト清掃装置３６によって取り除かれ、清掃される。
【００４３】
次いで、トナー像が二次転写された用紙９は、二次転写ベルト３５１に搬送されて中間転写ベルト３１から剥離された後に搬送装置４４により定着装置４５まで搬送される。続いて、このときの用紙９は、定着装置４５に導入されて必要な定着処理（熱及び圧力）を受けることにより、そのトナー像が定着される。定着が終了した後の用紙９は、その片面への画像の形成を行うだけの画像形成動作のときには、例えば筐体１０に形成される図示しない排出収容部に排出されて収容される。
【００４４】
以上の動作により、４色のトナー像を組み合わせて構成されるフルカラー画像が形成された用紙９が出力される。
【００４５】
ところで、この画像形成装置１においては、中間転写ベルト３１として前述したようにベルト基材３１０の内部（少なくとも表層部３１２）にＰＴＦＥからなる樹脂粒子４を分散させたものを使用しているが、図３に例示するように、その中間転写ベルト３１の少なくとも未使用時に一部の樹脂粒子４ｂ，４ｃが外周面３１ａに存在していることがある。
【００４６】
中間転写ベルト３１の外周面３１ａに存在する樹脂粒子４ｂ，４ｃは、主に、ベルト基材３１０から遊離した状態になって存在したり（符合４ｂで示す樹脂粒子）、あるいは粒子の一部が外部に露出した状態になって存在する（符合４ｃで示す樹脂粒子）。このような樹脂粒子４ｂ，４ｃは、特に中間転写ベルト３１の未使用の段階（画像形成装置１内で最初の回転動作もさせていない時期）で発生することが多いが、画像形成動作を長期間行わない時期などでも発生することがある。このため、この中間転写ベルト３１は、図９（ａ）に示すように、画像形成装置１に中間転写装置３０の一部品として装着されて未使用の段階ではその外周面３１ａにＰＴＦＥからなる樹脂粒子４ｂ，４ｃが存在した状態になっている。
【００４７】
そして、かかる中間転写ベルト３１は、画像形成装置１において最初に回転駆動するときの初期段階では、図９（ｂ）に示すように、ベルト清掃装置３６における清掃板３６１のベルト外周面３１ａに接触する先端部（自由端）３６１ａとそのベルト外周面３１ａの間（くさび状の空間）にかき集められて留まった状態になる。このとき露出した状態で存在する樹脂粒子４ｃも、清掃板３６１の先端部３６１ａによってかき取られることがある。図９（ｂ）における符合４ｇは、後述するように清掃板３６をすり抜けた樹脂粒子４ｂ等がベルト外周面３１ａで延び広げられた膜になったものを示す。
【００４８】
このようにベルト清掃装置３６における清掃板３６１の先端部３６１ａに樹脂粒子４ｂ，４ｃが最初に留まった場合には、その清掃板の先端部３６１ａのベルト外周面３１ａに対する摩擦力（動摩擦係数）が低下して、清掃板の先端部３６１ａがベルト外周面３１ａに接触するときの状態が変動するようになる。この結果、清掃装置３６では、特に使用初期の画像形成動作等において二次転写後の残留トナーが清掃板３６１とベルト外周面３１ａの間からすり抜けてしまってその残留トナーをベルト外周面３１ａから良好に取り除くことができず、清掃不良が発生してしまう。
【００４９】
そこで、この画像形成装置１では、図１から図３等に示すように、中間転写ベルト３１の少なくとも未使用時にその外周面に存在する前記ＰＴＦＥからなる樹脂粒子４ｂ、４ｃを取り除いて保持する回収装置５を設けている。
【００５０】
回収装置５は、中間転写ベルト３１と速度差が生じる状態に変更できるようにした二次転写装置３５における二次転写ベルト３５１（二次転写回転体５１）と、二次転写ベルト３５１の外周面３５１ａに接触して、その外周面３５１ａに付着するＰＴＦＥからなる樹脂粒子４（ｄ）を取り除いて保持する保持ブラシロール５２と、二次転写ベルト３５１（の支持ロール２５２）と保持ブラシロール５２の双方に極性の異なるバイアス電圧を選択して供給する給電装置５５とで構成されている。
【００５１】
二次転写ベルト３５１としては、ゴム等の材料を用いて無端ベルト状に成形したものが使用される。駆動ロールでもある支持ロール３５２は、回転軸に弾性層を形成した構造のロールであり、二次転写ベルト３５１を支持しつつ支持ロール３２ｅに支持された中間転写ベルト３１の外周面部分に所要の圧力で接触して回転するように設置されている。また、支持ロール３５２は、回転駆動装置３７の動力を受けて所要の速度で回転する。本実施の形態では、その所要の速度として画像形成動作時に適用される「平常速度Ｓ１」とその平常速度よりも遅い「低速度Ｓ２（＜Ｓ１）」との２種類の速度を設定している。ちなみに、平常速度Ｓ１は、中間転写ベルト３１の回転速度とほぼ同じである。
【００５２】
保持ブラシロール５２は、導電性の軸５３の周囲に半導電性のブラシ毛（ブラシ層）５４を形成した構造のロールであり、そのブラシ層５４が回転する二次転写ベルト３５１の外周面３５１ａに接触して回転駆動するように設置されている。本実施の形態における保持ブラシロール５２は、二次転写ベルト３５１の支持ロール３５２に支持されている部分の外周面３５１ａに接触するように配置されている。
【００５３】
給電装置５５は、図２に示すように、プラス極性の直流電源部５６とマイナス極性の直流電源部５７と、この各直流電源部５６，５７からの極性の異なる直流電圧を切り替えて出力するスイッチ部５８とを備えたものであり、そのスイッチ部５８が二次転写ベルト３５１の支持ロール２５２の軸と保持ブラシロール５２の軸５３に対して電気的に独立して接続されている。給電装置５５のスイッチ部５８等の各動作は、例えば画像形成装置１の各動作について制御する制御装置１５から送信される制御信号により制御される。
【００５４】
この給電装置５５は、中間転写ベルト３１の外周面３１ａに存在するＰＴＦＥからなる樹脂粒子４ｂ、４ｃを二次転写ベルト３５１に静電引力で吸着することにより取り除くとともに、二次転写ベルト３５１の外周面３５１ａに付着する前記樹脂粒子を静電引力で吸着することにより取り除いて保持ブラシロール５２に保持させるため、二次転写ベルト３５１の支持ロール３５２と保持ブラシロール５２の双方にＰＴＦＥからなる樹脂粒子の帯電極性（マイナス極性）と反対の極性であるプラス極性の直流電圧を所要の時期に供給する。この場合、中間転写ベルト３１の外周面３１ａに存在するＰＴＦＥからなる樹脂粒子４ｂ、４ｃを、二次転写ベルト３５１を中継して保持ブラシロール５２まで主に静電的な作用により移行させる必要があることから、保持ブラシロール５２に供給するプラス極性の直流電圧の値（絶対値）が、二次転写ベルト３５１の支持ロール３５２に供給するプラス極性の直流電圧の値よりも大きくなるように設定される。
【００５５】
また、給電装置５５は、保持ブラシロール５２に静電引力で吸着して保持したＰＴＦＥからなる樹脂粒子４ｂ、４ｃを静電引力により吐き出して二次転写ベルト３５１に一旦戻するとともに、二次転写ベルト３５１の外周面３５１ａに戻されて付着する前記樹脂粒子を中間転写ベルト３１の外周面３１ａにさらに戻すため、二次転写ベルト３５１の支持ロール３５２と保持ブラシロール５２の双方にＰＴＦＥからなる樹脂粒子の帯電極性と同じ極性であるマイナス極性の直流電圧を所要の時期に供給する。この場合、保持ブラシロール５２に保持されているＰＴＦＥからなる樹脂粒子４ｂ、４ｃを、二次転写ベルト３５１を中継して中間転写ベルト３１の外周面３１ａまで主に静電的な作用により移行させる必要があることから、保持ブラシロール５２に供給するマイナス極性の直流電圧の値（絶対値）が、二次転写ベルト３５１の支持ロール３５２に供給するマイナス極性の直流電圧の値よりも大きくなるように設定される。
【００５６】
給電装置５５からプラス極性の直流電圧を供給する時期は、中間転写ベルト３１を最初に回転させるときの初期段階であり、例えば画像形成装置１の電源が初めて投入されて中間転写ベルト３１が初めて回転されることになる動作時期（例えばセットアップ制御動作時）である。また、画像形成装置１の制御動作の１つとして、ＰＴＦＥからなる樹脂粒子４ｂ、４ｃを回収するための制御動作（回収モード）を実行するように構成してもよい。このような中間転写ベルト３１を最初に回転させるときの初期時期は、換言すれば、ベルト清掃装置３６の清掃板３６１の先端部３６１ａに現像剤（のトナー粒子）が留まっていない時期に中間転写ベルト３１が回転する時期になる。
【００５７】
また、プラス極性の直流電圧を供給は、中間転写ベルト３１を最初に回転させるときの初期段階が経過した後に停止されるようになっている。この直流電圧の供給を停止させる時期は、例えば、中間転写ベルト３１が少なくとも１周または２、３周回転した時期や、ベルト清掃装置３６の清掃板３６１の先端部３６１ａに現像剤（のトナー粒子）が留まると予測される時期に設定することができる。
【００５８】
一方、マイナス極性の直流電圧を供給する時期は、中間転写ベルト３１の回転の累積量が予め設定する閾値（設定値）に達したときであり、例えば、画像を形成する枚数を測定した累積値が所定の閾値に達したときを代用することができる。
【００５９】
次に、この回収装置５の動作について説明する。
【００６０】
画像形成装置１では、図４に示すように、制御装置１５において中間転写ベルト３１の最初の回転時期であるか否かが判断されるようになっている（ステップ１０：ＳＴ１０）。本実施の形態では、例えば画像形成装置１に初めて電源が投入されてセットアップ制御動作を実行する時期になったか否かを検出することで判断されるように設定されている。ちなみに、セットアップ制御動作では、例えば中間転写ベルト３１が約１０周だけ回転する。また、このステップＳ１０において最初の回転時期でないと判断された場合は、以下の回収装置５の動作が実行されない。
【００６１】
ステップＳ１０において最初の回転時期であると判断された場合は、そのセットアップ制御動作により中間転写ベルト３１が初めて回転させられるが、この動作に合わせて、制御装置１５からの制御指令により回転駆動装置３７から低速度で駆動して支持ロール２５２ひいては二次転写ベルトを低速度で回転させるとともに、制御装置１５からも制御指令により回収装置５の給電装置５５からプラス極性の直流電圧が二次転写ベルト３５１の支持ロール３５２と保持ブラシロール５２にそれぞれ供給される（ＳＴ１１）。この際、給電装置５５ではスイッチ部５８がプラス極性の直流電源部５６と接続した状態になる。また、給電装置５５から二次転写ベルト３５１の支持ロール３５２には＋Ｅ１ボルトのバイアス電圧が供給され、保持ブラシロール５２には＋Ｅ２（＞＋Ｅ１）ボルトのバイアス電圧が供給される。
【００６２】
これにより、図５に模式的に示すように、中間転写ベルト３１の外周面３１ａにその未使用時において遊離、露出等により存在するＰＴＦＥの樹脂粒子４ｂ，４ｃ（図３参照）は、はじめに、図５に符合４ｄとして示すように、二次転写ベルト３５１によって取り除かれてそのベルト外周面３５１ａに付着した状態におかれる。
【００６３】
具体的には、中間転写ベルト３１の外周面３１ａに存在するＰＴＦＥの樹脂粒子４ｂ，４ｃは、まず、二次転写ベルト３５１が中間転写ベルト３１の回転速度（Ｓ１）よりも遅い速度（Ｓ２）で回転して中間転写ベルト３１と速度差ΔＳ（＝Ｓ１−Ｓ２）を生じた状態にあるため、摺擦作用が発生して二次転写ベルト３５１の外周面３５１ａにかき取られるようにして移行する。しかも、この際、中間転写ベルト３１の外周面３１ａに存在するＰＴＦＥの樹脂粒子４ｂ，４ｃは、プラス極性の直流電圧（＋Ｅ１）が供給されている支持ロール３５２により静電引力による吸着力も受け、これにより二次転写ベルト３５１の外周面３５１ａに移行しやすくなっている。
【００６４】
続いて、二次転写ベルト３５１の外周面３５１ａに付着したＰＴＦＥの樹脂粒子４ｄが、図５に符合４ｅとして示すように、保持ブラシロール５２に取り除かれて保持された状態におかれる。
【００６５】
具体的には、二次転写ベルト３５１の外周面３５１ａに付着したＰＴＦＥの樹脂粒子４ｄは、プラス極性の直流電圧（＋Ｅ２）が供給されている保持ブラシロール５２に対し、主に静電引力により吸着されるようにして取り除かれるとともに保持される。より具体的には、保持ブラシロール５２には、二次転写ベルト３５１の支持ロール３５２に供給されるプラス極性の直流電圧（＋Ｅ１）よりも大きい値のプラス極性の直流電圧（＋Ｅ２）が供給されているので、二次転写ベルト３５１の外周面３５１ａに存在するマイナスの帯電極性を示すＰＴＦＥの樹脂粒子４ｄが、保持ブラシロール５２から相対的に大きい静電引力を受けて、そのブラシ層５４に吸着され、そのブラシ層５４におけるブラシ毛に静電気力により付着した状態で保持される。
【００６６】
この結果、中間転写ベルト３１の外周面３１ａに存在するＰＴＦＥの樹脂粒子４ｂ，４ｃは、最終的にその外周面３１ａから二次転写ベルト３５１を介して取り除かれた後に保持ブラシロール５２に保持される。これによって、回収装置５（実際には二次転写装置３５）よりも中間転写ベルト３１の回転方向下流側の最初の位置に配置されるベルト清掃装置３６では、中間転写ベルト３１が初めて回転させられたときであっても、そのベルト外周面３１ａに存在するＰＴＦＥの樹脂粒子４ｂ，４ｃがその上流側に配置された回収装置５によって取り除かれるので、その清掃板３６１の先端部３６１ａとベルト外周面３１ａとの間にＰＴＦＥの樹脂粒子４ｂ，４ｃがかき集められて留まること（図１２（ｂ）参照）がなくなる。
【００６７】
ちなみに、中間転写ベルト３１が初めて回転する前において回収装置５の二次転写装置３５（二次転写部）と清掃板３６１の先端部３６１ａとの区間のベルト外周面３１ａ部分に存在していた僅かなＰＴＦＥの樹脂粒子４ｂ，４ｃは、清掃板３６１の先端部３６１ａにせき止められることもあるが（図５）、その清掃性能を低下させるような影響を与えることはない。
【００６８】
また、制御装置１５において中間転写ベルト３１の最初の回転時期が経過したか否かが判断されるようになっている（ＳＴ１２）。本実施の形態では、例えば前記したセットアップ制御動作が終了したか否かを検出することで判断されるように設定されている。
【００６９】
ステップＳＴ１２において最初の回転時期が経過したと判断された場合は、制御装置１５からの制御指令により回転駆動装置３７の回転速度ひいては二次転写ベルト３５１の回転速度が平常速度（Ｓ１）に戻されるとともに、制御装置１５からの制御指令により回収装置５の給電装置５５からのプラス極性の直流電圧（Ｅ１，Ｅ２）の支持ロール２５２及び保持ブラシロール５２への各供給が停止される（ＳＴ１３）。この際、二次転写ベルト３５１は、引き続き画像形成動作に移行する場合には平常速度で回転することになるが、その画像形成動作が予定されていない場合には停止する。また、給電装置５５ではスイッチ部５８がプラス極性の直流電源部５６との接続を解除する状態に変更される。
【００７０】
これにより、中間転写ベルト３１の外周面３１ａに存在するＰＴＦＥの樹脂粒子４ｂ，４ｃが、回収装置５によって過剰に取り除かれることが回避される。また、画像形成装置１による初めての画像形成動作が実行されて二次転写残りのマイナス極性に帯電している残留トナーが、静電引力により回収装置５（二次転写ベルト３５１や保持ブラシロール５２）に不用意に付着して保持されることや、その付着するトナーにより二次転写ベルト３５１や保持ブラシロール５２の各表面が汚染されることが回避される。
【００７１】
画像形成装置１では、セットアップ制御動作が終了して初めての画像形成動作が行われると、図６に模式的に示すように、二次転写残りの残留トナーＴａがベルト清掃装置３６の清掃板３６１の先端部３６１ａにかき集められて溜まった状態になる（いわゆるトナー溜まりができる）。このように清掃板３６１の先端部３６１ａに残留トナーＴａがかき集められて溜まった状態になると、そこに例えば回収ロール５１から脱落したＰＴＦＥの樹脂粒子４ｆが到達しても、清掃板の先端部３６１ａのベルト外周面３１ａとの摩擦力が低下してしまうようなおそれはない。なお、トナー溜まりは、セットアップ制御動作時に中間転写ベルト３１の外周面に作像装置２０から転写されて形成される制御用トナー像（パッチ像）が清掃板３６でせき止められることで形成されることもある。
【００７２】
そして、この回収装置５を有する画像形成装置１では、画像形成動作が実行された場合でも、中間転写ベルト３１の外周面３１ａがベルト清掃装置３６により良好に清掃されるようになり、ＰＴＦＥの樹脂粒子４ｂ，４ｃが清掃板３６１の先端部に留まることにより特に画像形成装置１の使用初期（例えば最初の画像形成枚数に換算して約１０枚の画像形成動作を行う時期）において発生する清掃不良が低減される。
【００７３】
また、この画像形成装置１では、図７に示すように、制御装置１５において画像形成枚数（プリント枚数）の累積値が予め設定する閾値（枚数）に達したか否かが判断されるようになっている（ＳＴ２０）。このときの閾値は、例えば、経時により中間転写ベルト３１の外周面３１ａにおける離型性が低下（トナー付着力が増加）して二次転写率が低下する予測時期を参考にして設定される。
【００７４】
ステップＳ２０において画像形成枚数が閾値に達したと判断された場合は、制御装置１５からの制御指令により回収装置５の給電装置５５からマイナス極性の直流電圧が二次転写ベルト３５１の支持ロール３５２と保持ブラシロール５２にそれぞれ供給される（ＳＴ２２）。この際、給電装置５５ではスイッチ部５８がマイナス極性の直流電源部５７と接続した状態になる。また、給電装置５５から支持ロール２５２には−Ｅ３ボルトのバイアス電圧が供給され、保持ブラシロール５２には−Ｅ４（＞−Ｅ３）ボルトのバイアス電圧が供給される。なお、このときの画像形成装置は、例えば、画像形成動作が終了してから作像装置２０による作像動作を完全に停止した専用の動作モードとして実行されるか、あるいは、作像動作中に実行する場合には作像装置２０による作像動作を一時的に中断する時期を追加する特別な画像形成動作モードとして実行される。ちなみに、二次転写ベルト３５１は、平常速度（Ｓ１）で回転している。
【００７５】
これにより、図８に模式的に示すように、回収装置５の保持ブラシロール５２に保持されていたＰＴＦＥの樹脂粒子４ｄは、保持ブラシロール５２と二次転写ベルト３５１との間でマイナス極性の直流電圧（−Ｅ４）による反発する静電力を受けることにより、保持ブラシロール５２から吐き出されて二次転写ベルト３５１の外周面３５１ａに樹脂粒子４ｇとして戻される。続いて、二次転写ベルト３５１の外周面３５１ａに戻されて付着する樹脂粒子４ｇは、二次転写ベルト３５１と中間転写ベルト３１との間でマイナス極性の直流電圧（−Ｅ３）による反発する静電力を受けることにより、二次転写ベルト３５１の外周面３５１ａから吐き出されて中間転写ベルト３１の外周面３１ａに樹脂粒子４ｈとして戻される。この際、保持ブラシロール５２に付着して保持されていたマイナス極性に帯電のトナー粒子も、その反発する各静電力を受けることにより、保持ブラシロール５２から二次転写ベルト３５１を中継してベルト外周面３１ａにむけて吐き出される。
【００７６】
そして、回収装置５から最終的に中間転写ベルトの外周面３１ａに吐き出されたＰＴＦＥの樹脂粒子４ｈは、図８に示すように、ベルト清掃装置３６の清掃板３６１の先端部３６１ａに達して一時的に留まるが、清掃板の先端部３６１ａには前記した残留トナーＴａによるトナー溜まりが存在するため、かかるＰＴＦＥの樹脂粒子４ｈが清掃板の先端部３６１ａに留まって先端部の摩擦力を低下させることがなく、徐々に清掃板の先端部３６１ａからすり抜ける。このため、吐き出されたＰＴＦＥの樹脂粒子４ｈによって清掃不良が発生するおそれがない。
【００７７】
また、清掃板の先端部３６１ａからすり抜けた樹脂粒子４ｈは、その樹脂自身が保有する延展性により清掃板の先端部３６１ａを通過するときの圧力を受けて伸び広がって薄い膜４ｉなどになる。この結果、中間転写ベルト３１の外周面３１ａに離型性が付与されるので、二次転写においてトナー像が良好に中間転写ベルト３１から離れて用紙９に二次されるようになり、二次転写率が高まる。特に経時による中間転写ベルト３１の表面特性（特に離型性）の劣化があった場合には、樹脂粒子４ｈや膜４ｉにより離型性が付与されることで二次転写率も回復されるようになる。なお、前記したように保持ブラシロール５２に付着していたトナー粒子が吐き出された場合は、その保持ブラシ５２のブラシ層５３がトナーによる汚染が解消され、その後における樹脂粒子４の除去及び保持が良好に行える状態になる。
【００７８】
また、制御装置１５においてマイナス極性のバイアス電圧の供給時期が経過したか否かが判断されるようになっている（ＳＴ２２）。本実施の形態では、例えば前記した画像形成枚数が閾値に達した以降に残っている画像形成動作が終了したか否かを検出することで判断されるように設定されている。この判断は、この他にも例えば中間転写ベルト３１の回転した数が所定の値に達したか否かを検出することで行ってもよい。
【００７９】
ステップＳＴ２２においてバイアス電圧の供給時期が経過したと判断された場合は、制御装置１５からの制御指令により給電装置５５からのマイナス極性の直流電圧（−Ｅ３，−Ｅ４）の支持ロール２５２及び保持ブラシロール５２への各供給が停止される（ＳＴ２３）。この際、給電装置５５では、スイッチ部５８がマイナス極性の直流電源部５７との接続を解除する状態に変更される。
【００８０】
以上により、回収装置５の基本的な動作のすべてが終了する。
【００８１】
ここで、図４のステップＳＴ１０において「中間転写ベルトの最初の回転時期」として、例えば、画像形成動作の２回目以降における電源投入時における最初の回転時期や、画像形成装置２が所定の長期間使用されていないことが判明した後の電源投入時における最初の回転時期を含めるように設定した場合は、その各回転時期が到来すると、前述したような回収装置５の動作が同様に実行される。この場合、図７のステップＳ２０における画像形成枚数が閾値に達したか否かの判断は、直前に行われるＰＴＦＥの樹脂粒子の吐き出し動作が完了した以降に実行される画像形成動作による画像形成枚数の累積値が閾値に達した否かを判断すればよい。
【００８２】
［他の実施の形態］
回収装置５については、少なくとも二次転写ベルト３５１によるＰＴＦＥの樹脂粒子４ｂ、４ｃの取り除きと、保持ブラシロール５２によるベルト外周面２５１上の樹脂粒子（４ｄ）の取り除き及びその保持が可能であれば、給電装置５５の設置を省略した構成にしても構わない。また、回収装置５における給電装置５５については、保持ブラシロール５２に最終的に回収して保持したＰＴＦＥの樹脂粒子４ｅを中間転写ベルト３１に吐き出して戻す必要がない場合には、樹脂粒子４ｂ、４ｃの取り除き及びその保持を静電引力で行うためのバイアス電圧を支持ロール２５２及び保持ブラシロール５２に供給できる機能を備えただけの構成のものを適用してもよい。
【００８３】
また、回収装置５については、その回収部材として二次転写ベルト３５１に代えて二次転写ロール（二次転写回転体）を採用する二次転写装置３５を適用してもよい。この場合には、二次転写ロールの回転を中間転写ベルトと速度差が生じる状態にすればよい。速度差が生じる状態にする構成としては、中間転写ベルトの外周面３１ａが損傷する等の二次障害のおそれがなければ、二次転写ベルト３５１や二次転写ロールの回転を停止させる構成を採用することも可能である。また、その回収部材については、二次転写装置３５以外に専用の部材を中間転写ベルト３１の外周面側に配置してもよいが、二次転写装置３５を適用した場合には既存のものを兼用でき、新たな構成部品を追加する必要がなくなるので有利である。
【００８４】
さらに、回収装置５については、その保持部材として保持ブラシロール５２に代えて、例えば多孔質層が形成されたロールや、回転しないブラシ部材や多孔質部材などの他の部材を適用してもよい。回転しない固定式の保持部材を適用する場合は、その保持部材を二次転写ベルト３５１等の二次転写回転体の外周面に接触及び離間させる状態にする接離装置を設置することが好ましい。これにより、固定式の保持部材による樹脂粒子の回収及び保持が不要な時期に、その保持部材を二次転写回転体の外周面から離間させた状態にし、その保持部材へのトナー粒子等の不要物の付着を回避して、保持部材の表面を清浄な状態に保つことができる。
【００８５】
この他、二次転写ベルト３５１に対しては、前記した保持ブラシロール５２に加えて、二次転写ベルト３５１に残留するトナーを静電的作用により回収するとともに吐き出すための清掃用ブラシロールを設置することも可能である。清掃用ブラシロールは、例えば、保持ブラシロール５２よりも二次転写ベルト３５１の回転方向上流側又は下流側の位置においてベルト外周面３５１aに接触し且つその軸方向がブラシロール５２の軸とほぼ平行するような状態となるように設置すればよい。この場合は、清掃用ブラシロールにも極性の異なるバイアス電圧を選択して供給する給電装置と接続し、例えば、保持ブラシロール５２に或る極性のバイアス電圧を供給したときに当該極性と反対の極性のバイアス電圧を清掃用ブラシロールに供給するように構成して清掃用ブラシロールを使用することができる。
【００８６】
また、回収装置５を有する画像形成装置１は、前記ＰＴＦＥを分散させた中間転写ベルト３１と清掃板３６１を備えたベルト清掃装置３６とを適用するものであれば、その形式等については特に限定されるものでない。例えば、作像装置２０を１つ備えたものであってもよい。
【符号の説明】
【００８７】
１  …画像形成装置
４  …ＰＴＦＥからなる樹脂粒子
４ｅ…取り除かれて保持されたＰＴＦＥの樹脂粒子
９  …記録用紙（被記録材）
２０…作像装置
２１…感光ドラム（像保持体）
３１…中間転写ベルト
３１ａ…外周面
３５…二次転写装置（二次転写部）
３６…ベルト清掃装置（清掃装置）
５１…二次転写回転体（回収部材）
５２…保持ブラシロール（保持部材）
５５…給電装置（給電手段）
３５１…二次転写ベルト（二次転写回転体）
３５１ａ…外周面
３１０…ベルト基材
３６１…清掃板（板状部材）
【図１】
0005853468.tif 000002
【図２】
0005853468.tif 000003
【図３】
0005853468.tif 000004
【図４】
0005853468.tif 000005
【図５】
0005853468.tif 000006
【図６】
0005853468.tif 000007
【図７】
0005853468.tif 000008
【図８】
0005853468.tif 000009
【図９】
0005853468.tif 000010